(57)【要約】【課題】  連結とその解除とを繰り返しても、パレットと梱包箱とを、常に確実に連結することができ、何度でも再使用することが可能な連結構造を提供する。【解決手段】  パレット１の載置面１ａ上に梱包箱２を載置した状態で、フラップ部１３を立ち上げて、梱包箱２の側面２ａの通孔２４に係合突起１４を挿通した後、梱包箱２の内側に係止部材３を落としこんで、係合突起１４と係合させることで、当該係合突起１４の、通孔２４からの抜けを阻止して、パレット１と梱包箱２とを連結する。【選択図】  図１
2006176167.tif 000002
【特許請求の範囲】
【請求項１】
緩衝性を有する板材からなるパレットの載置面上に、緩衝性を有する板材からなる梱包箱を載置して、両者を連結するための連結構造であって、
上記パレットには、当該パレットを形成する板材の一部を延設して、パレットに対して折り曲げることで、載置面から、梱包箱の側面に沿うように立ち上げることができるフラップ部を形成すると共に、このフラップ部の、立ち上げた際に梱包箱の側面に沿う面から、梱包箱の側面に向けて、係合突起を突設し、かつ
梱包箱には、その側面を形成する板材に、上記係合突起が挿通される通孔を設けると共に、
梱包箱の内側に落とし込むことで、通孔を挿通した係合突起と係合する係止部材を、上記パレットおよび梱包箱と別体で形成し、
パレットの載置面上に梱包箱を載置した状態で、フラップ部を立ち上げて、梱包箱の側面の通孔に係合突起を挿通した後、梱包箱の内側に係止部材を落としこんで、係合突起と係合させることで、当該係合突起の、通孔からの抜けを阻止して、パレットと梱包箱とを連結することを特徴とする連結構造。
【発明の詳細な説明】
【技術分野】
【０００１】
本発明は、段ボール等の、緩衝性を有する板材で形成されたパレットと、同じく緩衝性を有する板材で形成されて、上記パレットの載置面上に載置される、電子機器等の製品を梱包するための梱包箱とを、運搬時等に位置ずれするのを防止するべく、互いに連結するための連結構造に関するものである。
【背景技術】
【０００２】
段ボール等の、緩衝性を有する板材で形成されたパレットと、同じく緩衝性を有する板材で形成されて、上記パレットの載置面上に載置される梱包箱とを、運搬時等に位置ずれするのを防止するために、互いに連結することが行われる。例えば、特許文献１においては、梱包箱の側壁の下部から底面にかけて切起状に設けた係止片を、パレットの天板の側端面に設けた係止孔に引っ掛けることで、両者のずれを防止する連結構造が提案されている。
【０００３】
係止孔は、複数枚の板材を積層して形成されるパレットの天板のうち、最上層から２〜３枚目の板材の端縁部を切り欠く等して、天板上面の載置面と平行に形成される。また、係止孔の入口部分の上側面には、板材からなる抜止片が貼り付けられる。一方、梱包箱の係止片の先端部には、当該先端部を上面側に折り返して重ねることで、抜止部が形成される。そして、パレットの係止孔に梱包箱の係止片を挿入すると、係止孔内の抜止片と、係止片の先端の抜止部とが係合して抜け止めがされる。そのため、パレットと梱包箱とが運搬時等に位置ずれするのを、確実に防止することができる。
【特許文献１】特開２００１−３２２６２５号公報（特許請求の範囲、第０００９欄〜第００１１欄、第００１３欄、第００１６欄、図１、図３）
【発明の開示】
【発明が解決しようとする課題】
【０００４】
ところが、特許文献１に記載された連結構造は、連結とその解除とを繰り返し行うのが難しいという問題がある。すなわち、連結の際には、抜止片が貼り付けられているため高さ方向の間隔が板材１枚分しかない係止孔の入口の部分に、抜止部が設けられているため板材２枚分の厚みを有する係止片の先端を、無理に挿入しなければならず、また、解除の際にも、上記係止片の先端を、無理に引き抜かなければならない。
【０００５】
そのため、上記各部を形成する板材が、いわゆるヘタリを生じて、厚みが徐々に小さくなったり、抜止片や抜止部の、互いに係合する段差の個所が局部的に変形して、うまく係合できなくなったりする結果、何度が連結とその解除とを繰り返すうちに、抜け止めが効かなくなって、運搬時等の振動で連結が外れて、梱包箱がパレットからずれたり、ひどい場合には梱包箱がパレットからずれ落ちて、内部の商品が破損したりするおそれがある。したがって、特許文献１に記載された連結構造は、確実な連結を確保することを考慮すると、１回の使い切りになってしまい、再使用が難しいという問題がある。
【０００６】
本発明の目的は、連結とその解除とを繰り返しても、パレットと梱包箱とを、常に確実に連結することができ、何度でも再使用することが可能な連結構造を提供することにある。
【課題を解決するための手段】
【０００７】
請求項１記載の発明は、緩衝性を有する板材からなるパレットの載置面上に、緩衝性を有する板材からなる梱包箱を載置して、両者を連結するための連結構造であって、
上記パレットには、当該パレットを形成する板材の一部を延設して、パレットに対して折り曲げることで、載置面から、梱包箱の側面に沿うように立ち上げることができるフラップ部を形成すると共に、このフラップ部の、立ち上げた際に梱包箱の側面に沿う面から、梱包箱の側面に向けて、係合突起を突設し、かつ
梱包箱には、その側面を形成する板材に、上記係合突起が挿通される通孔を設けると共に、
梱包箱の内側に落とし込むことで、通孔を挿通した係合突起と係合する係止部材を、上記パレットおよび梱包箱と別体で形成し、
パレットの載置面上に梱包箱を載置した状態で、フラップ部を立ち上げて、梱包箱の側面の通孔に係合突起を挿通した後、梱包箱の内側に係止部材を落としこんで、係合突起と係合させることで、当該係合突起の、通孔からの抜けを阻止して、パレットと梱包箱とを連結することを特徴とする連結構造である。
【発明の効果】
【０００８】
請求項１記載の発明においては、パレットのフラップ部に設けた係合突起を、梱包箱の通孔に挿通して、当該梱包箱の内側に突出させた後、梱包箱の内側に係止部材を落とし込んで、係合突起と係合させるだけで、係合突起の、通孔からの抜けを阻止して、パレットと梱包箱とを連結することができる。また、落とし込んだ係止部材を梱包箱から取り出すだけで、係合突起の係合を解除して、当該係合突起を通孔から抜き出すことができ、パレットと梱包箱との連結を解除することができる。そのため、上記係合突起や通孔、係止部材等は、何度、パレットと梱包箱との連結と、その解除とを繰り返しても、殆ど変形等を生じることなく、常に確実に、パレットと梱包箱とを連結して、両者のずれを防止することができる。したがって、請求項１記載の発明によれば、連結とその解除とを繰り返しても、パレットと梱包箱とを、常に確実に連結することができ、何度でも再使用することが可能な連結構造を提供することが可能となる。
【発明を実施するための最良の形態】
【０００９】
図１は、本発明の連結構造を組み込んだ、パレット１と梱包箱２と係止部材３の一例を示す斜視図である。また、図２は、上記各部のうち、パレット１のフラップ部１３の先端部の近傍と、そこに設けられた係合突起１４とを拡大した断面図である。さらに、図３(a)〜(d)は、上記各部を、本発明の連結構造によって連結する過程を示す断面図である。
図１を参照して、パレット１は、その上面が、梱包箱２を載置するための載置面１ａとされた、平面形状が矩形状の天板１１と、この天板１１の四隅の下面から、それぞれ下方に延設された脚部１２と、天板１１の四辺から、それぞれ、載置面１ａと同一平面上で四方に延設された、平面形状が矩形状のフラップ部１３と、各フラップ部１３の、図において上面側の先端部に設けられた係合突起１４とを備えている。
【００１０】
上記のうち天板１１は、段ボール等の、緩衝性を有する板材を複数枚、載置面１ａと平行方向に積層して形成される。また、脚部１２は、同様に、段ボール等の、干渉性を有する板材を複数枚、載置面１ａと直交方向に積層したり、１枚の、長尺の板材を、角ロール状に巻き付けたりして形成される。また、フラップ部１３は、天板１１を形成する複数枚の板材のうち、最上層の板材と一体に形成されている。そして、図中に一点鎖線で示す折り曲げ線ｂ１の部分で折り曲げることで、載置面１ａから、梱包箱２の側面２ａに沿うように、図において上方に、立ち上げることができる。
【００１１】
図１、図２および図３(a)〜(d)を参照して、係合突起１４は、フラップ部１３の先端部の近傍の、当該フラップ部１３を折り曲げ線ｂ１に沿って折り曲げて上方に立ち上げた際に、梱包箱２の側面２ａに沿う面１３ａから、梱包箱２の側面２ａの方向に向けて突設されたもので、上記面１３ａから側面２ａの方向に突設された基部１４ａと、この基部１４ａの先端部から、面１３ａとの間に隙間ｇをあけた状態で、面１３ａと平行方向で、かつ図２において上方へ延設された係合凸部１４ｂとを備えている。係合突起１４は、図２の平面形状を有する段ボール等の板材を複数枚、積層する等して形成される。
【００１２】
図１を参照して、梱包箱２は、平面形状が矩形状の底板２１と、この底板２１の四辺から、それぞれ、図において上方に立ち上げられると共に、隣り合うもの同士が互いにつながれ、その外側面が、フラップ部１３を沿わせる側面２ａとされた、平面形状が矩形状の側板２２と、各側板２２の上辺と、折り曲げ線ｂ２を介して繋がれた、平面形状が矩形状のフラップ部２３とを備えている。また、各側板２２には、フラップ部１３を上方に立ち上げた際に、係合突起１４と対応する位置に、当該係合突起１４を、梱包箱２の内側に挿通させるための通孔２４が形成されている。
【００１３】
上記各部は、段ボール等の、緩衝性を有する板材を折り曲げたり接合したりして、直方体状の梱包箱２を形成している。また、梱包箱２は、パレット１の各フラップ部１３を上方に立ち上げた際に、それぞれのフラップ部１３の面１３ａが、側板２２の外側面である側面２ａに沿う大きさに形成されている。
係止部材３は、梱包箱２の内側に落とし込ませるため、側板２２の内側面に沿うように、矩形の枠状に連結された、いずれも平面形状が矩形状の枠体３１と、枠の四隅から、それぞれ下方へ向けて延設された脚部３２とを備えている。そして、係止部材３を梱包箱２の内側に落としこんだ際に、枠体３１の下側の縁部３１ａが、通孔２４を通して梱包箱２の内側に挿通された係合突起１４の、面１３ａとの間の隙間ｇに嵌まり込んで係合して、係合突起１４を、通孔２４から抜け止めする。上記各部は、段ボール等の、緩衝性を有する板材によって一体に形成され、その両端を互いに接合して枠状に形成されている。
【００１４】
脚部３２は、係止部材３を梱包箱２の内側に落としこんだ際に、上記縁部３１ａが、係合突起１４と係合した位置で停止するように、その高さｈ1が設定されている。脚部３２は、上記位置決めの機能と、梱包箱２を複数個、上下に積み重ねる際の、補強としての機能とを兼ね備えている。また、上記のように脚部３２によって位置決めされた状態で、フラップ部２３を内側に折り込んで梱包箱２を閉じた際に、枠体３１の上側の縁部３１ｂが、閉じたフラップ部２３の下面と当接することで、運搬時等の振動によって係止部材３が上方に跳ね上がって、枠体３１の下側の縁部３１ａと、係合突起１４との係合が解除されるのを防止できるように、枠体３１の高さｈ2が設定されている。
【００１５】
パレット１の載置面１ａ上に載置した梱包箱２を、当該パレット１と連結するためには、まず、フラップ部１３を、折り目線に沿って折り曲げて、面１３ａを、梱包箱２の側面２ａに沿わせるように上方に立ち上げることで、係合突起１４を、側板２２に形成した通孔２４を通して梱包箱２の内側に挿通する〔図１、図３(a)〜(b)〕。
次に、梱包箱２の上部の開口２ｂを通して、係止部材３を、梱包箱２の内側に落とし込む。そうすると、係止部材３のうち、枠対３１の下側の縁部３１ａが、通孔２４を通して梱包箱２の内側に挿通された係合突起１４の、面１３ａとの間の隙間ｇに嵌まり込んで係合して、係合突起１４を、通孔２４から抜け止めする〔図２、図３(c)〜(d)〕。
【００１６】
次に、図示していないが、フラップ部２３を内側に折り込んで梱包箱２を閉じれば、先に説明したように、係止部材３の枠体３１の上側の縁部３１ｂが、閉じたフラップ部２３の下面と当接することで、運搬時等の振動によって係止部材３が上方に跳ね上がって、枠体３１の下側の縁部３１ａと、係合突起１４との係合が解除されるのを防止することができ、パレット１の載置面１ａ上に載置した梱包箱２の、パレット１に対する連結が完成する。
【００１７】
この状態では、パレット１と梱包箱２とを、しっかりと位置決めすることができる。そのため、運搬時等の振動で梱包箱２がパレット１からずれたり、パレット１からずれ落ちて、内部の商品が破損したりするのを確実に防止することができる。
連結を解除するためには、上記と逆の手順を踏めばよい。すなわち、フラップ部２３を外側に折り広げて梱包箱３を開き、係止部材３を上方に引き出して、枠体３１の下側の縁部３１ａと、係合突起１４との係合を解除した後〔図３(c)〜(d)〕、フラップ部１を折り広げて、係合突起１４を通孔２４から引き出せば〔図３(a)〜(b)〕、梱包箱２を、パレット１の載置面１ａから降ろすことができる。
【００１８】
上記の連結構造では、特許文献１に記載した従来技術のように、無理に嵌め合わせている個所がないため、連結とその解除とを何度繰り返しても、それによって、上記いずれかの部材が破損することはない。そのため、連結とその解除とを繰り返しても、パレットと梱包箱とを、常に確実に連結することができ、何度でも再使用することが可能となる。
なお、本発明の連結構造は、以上で説明した例のものには限定されない。例えば、係止部材３は、位置決めのための脚部３２を有さず、枠体３１のみで形成されていてもよい。枠体３１を梱包箱２内に落とし込めば、その下側の縁部３１ａが、係合突起１４の隙間ｇの底である、基部１４ａの上面に当接して位置決めされるためである。
【００１９】
また、図の例では、係合突起１４と、通孔２４とを、それぞれ、フラップ部１４および側板２２のほぼ全幅に亘る幅に形成していたが、係合突起１４と通孔２４とは、もっと幅が狭くてもよい。また、幅の狭い係合突起１４と通孔２４とを、一つのフラップ部１４上、および側板２２上の複数個所に設けてもよい。その他、本発明の要旨を変更しない範囲で、種々の設計変更を施すことができる。
【図面の簡単な説明】
【００２０】
【図１】本発明の連結構造を組み込んだ、パレット１と梱包箱２と係止部材３の一例を示す斜視図である。
【図２】上記各部のうち、パレット１のフラップ部１３の先端部の近傍と、そこに設けられた係合突起１４とを拡大した断面図である。
【図３】同図(a)〜(d)は、それぞれ、上記各部を、本発明の連結構造によって連結する過程を示す断面図である。
【符号の説明】
【００２１】
１  パレット
１ａ  載置面
１３  フラップ部
１３ａ  面
１４  係合突起
２  梱包箱
２ａ  側面
２２  側板
２４  通孔
３  係止部材
【図１】
2006176167.tif 000003
【図２】
2006176167.tif 000004
【図３】
2006176167.tif 000005